【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、正孔輸送性の有機化合物とを有し、
前記第２の層は、第２の有機化合物と、電子輸送性の有機化合物とを有し、
前記第１の層は、前記第２の層の前記第１の電極側に接して設けられており、
前記第１の有機化合物と前記第２の有機化合物は、同じ有機化合物であり、
前記正孔輸送性の有機化合物および前記電子輸送性の有機化合物は、アントラセン誘導体であり、
前記第１の電極の方が前記第２の電極よりも電位が高くなるように、前記第１の電極と前記第２の電極とに電圧を印加することにより、前記第１の層に含まれる前記第１の有機化合物と前記第２の層に含まれる前記第２の有機化合物の両方からの発光が得られることを特徴とする発光素子。
【請求項２】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、正孔輸送性の有機化合物とを有し、
前記正孔輸送性の有機化合物の最高被占軌道準位（ＨＯＭＯ準位）は−６．０ｅＶ以上−５．０ｅＶ以下であり、最低空軌道準位（ＬＵＭＯ準位）は、−３．０ｅＶ以上−２．０ｅＶ以下であり、
前記第２の層は、第２の有機化合物と、電子輸送性の有機化合物とを有し、
前記電子輸送性の有機化合物の最高被占軌道準位（ＨＯＭＯ準位）は−６．０ｅＶ以上−５．０ｅＶ以下であり、最低空軌道準位（ＬＵＭＯ準位）は、−３．０ｅＶ以上−２．０ｅＶ以下であり、
前記第１の層は、前記第２の層の前記第１の電極側に接して設けられており、
前記第１の有機化合物と前記第２の有機化合物は、同じ有機化合物であり、
前記正孔輸送性の有機化合物および前記電子輸送性の有機化合物は、アントラセン誘導体であり、
前記第１の電極の方が前記第２の電極よりも電位が高くなるように、前記第１の電極と前記第２の電極とに電圧を印加することにより、前記第１の層に含まれる前記第１の有機化合物と前記第２の層に含まれる前記第２の有機化合物の両方からの発光が得られることを特徴とする発光素子。
【請求項３】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、正孔輸送性の有機化合物とを有し、
前記第２の層は、第２の有機化合物と、電子輸送性の有機化合物とを有し、
前記第１の層は、前記第２の層の前記第１の電極側に接して設けられており、
前記第１の有機化合物と前記第２の有機化合物は、同じ有機化合物であり、
前記正孔輸送性の有機化合物および前記電子輸送性の有機化合物は、アントラセン誘導体であり、
前記正孔輸送性の有機化合物および前記電子輸送性の有機化合物は、酸化反応および還元反応に対して可逆的であり、
前記第１の電極の方が前記第２の電極よりも電位が高くなるように、前記第１の電極と前記第２の電極とに電圧を印加することにより、前記第１の層に含まれる前記第１の有機化合物と前記第２の層に含まれる前記第２の有機化合物の両方からの発光が得られることを特徴とする発光素子。
【請求項４】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、正孔輸送性の有機化合物とを有し、
前記第２の層は、第２の有機化合物と、電子輸送性の有機化合物とを有し、
前記第１の層は、前記第２の層の前記第１の電極側に接して設けられており、
前記第１の有機化合物と前記第２の有機化合物は、同じ有機化合物であり、
前記正孔輸送性の有機化合物および前記電子輸送性の有機化合物は、アントラセン誘導体であり、
前記正孔輸送性の有機化合物の最高被占軌道準位と前記電子輸送性の有機化合物の最高被占軌道準位との差が０．３ｅＶ以下であり、
前記正孔輸送性の有機化合物の最低空軌道準位と前記電子輸送性の有機化合物の最低空軌道準位との差が０．３ｅＶ以下であり、
前記第１の電極の方が前記第２の電極よりも電位が高くなるように、前記第１の電極と前記第２の電極とに電圧を印加することにより、前記第１の層に含まれる前記第１の有機化合物と前記第２の層に含まれる前記第２の有機化合物の両方からの発光が得られることを特徴とする発光素子。
【請求項５】
請求項１乃至４のいずれか一において、
前記正孔輸送性の有機化合物は、９，１０−ジフェニルアントラセン、Ｎ，Ｎ−ジフェニル−９−［４−（１０−フェニル−９−アントリル）フェニル］−９Ｈ−カルバゾール−３−アミン、４−（１０−フェニル−９−アントリル）トリフェニルアミン、Ｎ，９−ジフェニル−Ｎ−［４−（１０−フェニル−９−アントリル）フェニル］−９Ｈ−カルバゾール−３−アミン、Ｎ，９−ジフェニル−Ｎ−｛４−［４−（１０−フェニル−９−アントリル）フェニル］フェニル｝−９Ｈ−カルバゾール−３−アミンのいずれかであり、
前記電子輸送性の有機化合物は、９−［４−（１０−フェニル−９−アントリル）フェニル］−９Ｈ−カルバゾール、３，６−ジフェニル−９−［４−（１０−フェニル−９−アントリル）フェニル］−９Ｈ−カルバゾール、９，１０−ビス（３，５−ジフェニルフェニル）アントラセン、９，１０−ジ（２−ナフチル）アントラセン、２−ｔｅｒｔ−ブチル−９，１０−ジ（２−ナフチル）アントラセン、９，９’−ビアントリルのいずれかであることを特徴とする発光素子。
【請求項６】
第１の電極と第２の電極の間に、第１の発光ユニットと第２の発光ユニットとが積層され、
前記第１の発光ユニットと前記第２の発光ユニットとの間には、有機化合物と金属酸化物の複合材料を含む電荷発生層が設けられ、
前記第１の発光ユニットは、
第１の電子輸送層と第１の正孔輸送層を有し、
前記第１の電子輸送層と前記第１の正孔輸送層との間に、第１の層と第２の層を有し、
前記第１の層は、第１の有機化合物と、第１の正孔輸送性の有機化合物とを有し、
前記第２の層は、第２の有機化合物と、第１の電子輸送性の有機化合物とを有し、
前記第１の層は、前記第２の層の前記第１の電極側に接して設けられており、
前記第１の有機化合物と前記第２の有機化合物は、同じ有機化合物であり、
前記第１の正孔輸送性の有機化合物および前記第１の電子輸送性の有機化合物は、アントラセン誘導体であり、
前記第２の発光ユニットは、
第２の電子輸送層と第２の正孔輸送層を有し、
前記第２の電子輸送層と前記第２の正孔輸送層との間に、第３の層と第４の層を有し、
前記第３の層は、第３の有機化合物と、第２の正孔輸送性の有機化合物とを有し、
前記第４の層は、第４の有機化合物と、第２の電子輸送性の有機化合物とを有し、
前記第３の層は、前記第４の層の前記第１の電極側に接して設けられており、
前記第３の有機化合物と前記第４の有機化合物は、同じ有機化合物であり、
前記第２の正孔輸送性の有機化合物および前記第２の電子輸送性の有機化合物は、アントラセン誘導体であり、
前記第１の電極の方が前記第２の電極よりも電位が高くなるように、前記第１の電極と前記第２の電極とに電圧を印加することにより、
前記第１の発光ユニットにおいて、前記第１の層に含まれる前記第１の有機化合物と前記第２の層に含まれる前記第２の有機化合物の両方からの発光が得られ、
前記第２の発光ユニットにおいて、前記第３の層に含まれる前記第３の有機化合物と前記第４の層に含まれる前記第４の有機化合物の両方からの発光が得られることを特徴とする発光素子。
【請求項７】
第１の電極と第２の電極の間に、第１の発光ユニットと第２の発光ユニットとが積層され、
前記第１の発光ユニットと前記第２の発光ユニットとの間には、有機化合物と金属酸化物の複合材料を含む電荷発生層が設けられ、
前記第１の発光ユニットは、
第１の電子輸送層と第１の正孔輸送層を有し、
前記第１の電子輸送層と前記第１の正孔輸送層との間に、第１の層と第２の層を有し、
前記第１の層は、第１の有機化合物と、第１の正孔輸送性の有機化合物とを有し、
前記第１の正孔輸送性の有機化合物の最高被占軌道準位（ＨＯＭＯ準位）は−６．０ｅＶ以上−５．０ｅＶ以下であり、最低空軌道準位（ＬＵＭＯ準位）は、−３．０ｅＶ以上−２．０ｅＶ以下であり、
前記第２の層は、第２の有機化合物と、第１の電子輸送性の有機化合物とを有し、
前記第１の電子輸送性の有機化合物の最高被占軌道準位（ＨＯＭＯ準位）は−６．０ｅＶ以上−５．０ｅＶ以下であり、最低空軌道準位（ＬＵＭＯ準位）は、−３．０ｅＶ以上−２．０ｅＶ以下であり、
前記第１の層は、前記第２の層の前記第１の電極側に接して設けられており、
前記第１の有機化合物と前記第２の有機化合物は、同じ有機化合物であり、
前記第１の正孔輸送性の有機化合物および前記第１の電子輸送性の有機化合物は、アントラセン誘導体であり、
前記第２の発光ユニットは、
第２の電子輸送層と第２の正孔輸送層を有し、
前記第２の電子輸送層と前記第２の正孔輸送層との間に、第３の層と第４の層を有し、
前記第３の層は、第３の有機化合物と、第２の正孔輸送性の有機化合物とを有し、
前記第２の正孔輸送性の有機化合物の最高被占軌道準位（ＨＯＭＯ準位）は−６．０ｅＶ以上−５．０ｅＶ以下であり、最低空軌道準位（ＬＵＭＯ準位）は、−３．０ｅＶ以上−２．０ｅＶ以下であり、
前記第４の層は、第４の有機化合物と、第２の電子輸送性の有機化合物とを有し、
前記第２の電子輸送性の有機化合物の最高被占軌道準位（ＨＯＭＯ準位）は−６．０ｅＶ以上−５．０ｅＶ以下であり、最低空軌道準位（ＬＵＭＯ準位）は、−３．０ｅＶ以上−２．０ｅＶ以下であり、
前記第３の層は、前記第４の層の前記第１の電極側に接して設けられており、
前記第３の有機化合物と前記第４の有機化合物は、同じ有機化合物であり、
前記第２の正孔輸送性の有機化合物および前記第２の電子輸送性の有機化合物は、アントラセン誘導体であり、
前記第１の電極の方が前記第２の電極よりも電位が高くなるように、前記第１の電極と前記第２の電極とに電圧を印加することにより、
前記第１の発光ユニットにおいて、前記第１の層に含まれる前記第１の有機化合物と前記第２の層に含まれる前記第２の有機化合物の両方からの発光が得られ、
前記第２の発光ユニットにおいて、前記第３の層に含まれる前記第３の有機化合物と前記第４の層に含まれる前記第４の有機化合物の両方からの発光が得られることを特徴とする発光素子。
【請求項８】
第１の電極と第２の電極の間に、第１の発光ユニットと第２の発光ユニットとが積層され、
前記第１の発光ユニットと前記第２の発光ユニットとの間には、有機化合物と金属酸化物の複合材料を含む電荷発生層が設けられ、
前記第１の発光ユニットは、
第１の電子輸送層と第１の正孔輸送層を有し、
前記第１の電子輸送層と前記第１の正孔輸送層との間に、第１の層と第２の層を有し、
前記第１の層は、第１の有機化合物と、第１の正孔輸送性の有機化合物とを有し、
前記第２の層は、第２の有機化合物と、第１の電子輸送性の有機化合物とを有し、
前記第１の層は、前記第２の層の前記第１の電極側に接して設けられており、
前記第１の有機化合物と前記第２の有機化合物は、同じ有機化合物であり、
前記第１の正孔輸送性の有機化合物および前記第１の電子輸送性の有機化合物は、アントラセン誘導体であり、
前記第１の正孔輸送性の有機化合物および前記第１の電子輸送性の有機化合物は、酸化反応および還元反応に対して可逆的であり、
前記第２の発光ユニットは、
第２の電子輸送層と第２の正孔輸送層を有し、
前記第２の電子輸送層と前記第２の正孔輸送層との間に、第３の層と第４の層を有し、
前記第３の層は、第３の有機化合物と、第２の正孔輸送性の有機化合物とを有し、
前記第４の層は、第４の有機化合物と、第２の電子輸送性の有機化合物とを有し、
前記第３の層は、前記第４の層の前記第１の電極側に接して設けられており、
前記第３の有機化合物と前記第４の有機化合物は、同じ有機化合物であり、
前記第２の正孔輸送性の有機化合物および前記第２の電子輸送性の有機化合物は、アントラセン誘導体であり、
前記第２の正孔輸送性の有機化合物および前記第２の電子輸送性の有機化合物は、酸化反応および還元反応に対して可逆的であり、
前記第１の電極の方が前記第２の電極よりも電位が高くなるように、前記第１の電極と前記第２の電極とに電圧を印加することにより、
前記第１の発光ユニットにおいて、前記第１の層に含まれる前記第１の有機化合物と前記第２の層に含まれる前記第２の有機化合物の両方からの発光が得られ、
前記第２の発光ユニットにおいて、前記第３の層に含まれる前記第３の有機化合物と前記第４の層に含まれる前記第４の有機化合物の両方からの発光が得られることを特徴とする発光素子。
【請求項９】
第１の電極と第２の電極の間に、第１の発光ユニットと第２の発光ユニットとが積層され、
前記第１の発光ユニットと前記第２の発光ユニットとの間には、有機化合物と金属酸化物の複合材料を含む電荷発生層が設けられ、
前記第１の発光ユニットは、
第１の電子輸送層と第１の正孔輸送層を有し、
前記第１の電子輸送層と前記第１の正孔輸送層との間に、第１の層と第２の層を有し、
前記第１の層は、第１の有機化合物と、第１の正孔輸送性の有機化合物とを有し、
前記第２の層は、第２の有機化合物と、第１の電子輸送性の有機化合物とを有し、
前記第１の層は、前記第２の層の前記第１の電極側に接して設けられており、
前記第１の有機化合物と前記第２の有機化合物は、同じ有機化合物であり、
前記第１の正孔輸送性の有機化合物および前記第１の電子輸送性の有機化合物は、アントラセン誘導体であり、
前記第１の正孔輸送性の有機化合物の最高被占軌道準位と前記第１の電子輸送性の有機化合物の最高被占軌道準位との差が０．３ｅＶ以下であり、
前記第１の正孔輸送性の有機化合物の最低空軌道準位と前記第１の電子輸送性の有機化合物の最低空軌道準位との差が０．３ｅＶ以下であり、
前記第２の発光ユニットは、
第２の電子輸送層と第２の正孔輸送層を有し、
前記第２の電子輸送層と前記第２の正孔輸送層との間に、第３の層と第４の層を有し、
前記第３の層は、第３の有機化合物と、第２の正孔輸送性の有機化合物とを有し、
前記第４の層は、第４の有機化合物と、第２の電子輸送性の有機化合物とを有し、
前記第３の層は、前記第４の層の前記第１の電極側に接して設けられており、
前記第３の有機化合物と前記第４の有機化合物は、同じ有機化合物であり、
前記第２の正孔輸送性の有機化合物および前記第２の電子輸送性の有機化合物は、アントラセン誘導体であり、
前記第２の正孔輸送性の有機化合物の最高被占軌道準位と前記第２の電子輸送性の有機化合物の最高被占軌道準位との差が０．３ｅＶ以下であり、
前記第２の正孔輸送性の有機化合物の最低空軌道準位と前記第２の電子輸送性の有機化合物の最低空軌道準位との差が０．３ｅＶ以下であり、
前記第１の電極の方が前記第２の電極よりも電位が高くなるように、前記第１の電極と前記第２の電極とに電圧を印加することにより、
前記第１の発光ユニットにおいて、前記第１の層に含まれる前記第１の有機化合物と前記第２の層に含まれる前記第２の有機化合物の両方からの発光が得られ、
前記第２の発光ユニットにおいて、前記第３の層に含まれる前記第３の有機化合物と前記第４の層に含まれる前記第４の有機化合物の両方からの発光が得られることを特徴とする発光素子。
【請求項１０】
請求項６乃至９のいずれか一において、
前記第１の正孔輸送性の有機化合物及び前記第２の正孔輸送性の有機化合物は、９，１０−ジフェニルアントラセン、Ｎ，Ｎ−ジフェニル−９−［４−（１０−フェニル−９−アントリル）フェニル］−９Ｈ−カルバゾール−３−アミン、４−（１０−フェニル−９−アントリル）トリフェニルアミン、Ｎ，９−ジフェニル−Ｎ−［４−（１０−フェニル−９−アントリル）フェニル］−９Ｈ−カルバゾール−３−アミン、Ｎ，９−ジフェニル−Ｎ−｛４−［４−（１０−フェニル−９−アントリル）フェニル］フェニル｝−９Ｈ−カルバゾール−３−アミンのいずれかであり、
前記第１の電子輸送性の有機化合物及び前記第２の電子輸送性の有機化合物は、９−［４−（１０−フェニル−９−アントリル）フェニル］−９Ｈ−カルバゾール、３，６−ジフェニル−９−［４−（１０−フェニル−９−アントリル）フェニル］−９Ｈ−カルバゾール、９，１０−ビス（３，５−ジフェニルフェニル）アントラセン、９，１０−ジ（２−ナフチル）アントラセン、２−ｔｅｒｔ−ブチル−９，１０−ジ（２−ナフチル）アントラセン、９，９’−ビアントリルのいずれかであることを特徴とする発光素子。
【請求項１１】
請求項１乃至１０のいずれか一に記載の発光素子を有する照明装置。